(57)【要約】【課題】液晶の屈折率を高精度で制御できるとともに、温度によって変化する液晶の屈折率を一定に保持できる液晶光学デバイスの駆動装置を提供する。【解決手段】ＣＰＵ３０は、液晶セル２３の温度を温度取得回路２１から取得し、取得した温度と液晶セル２３の屈折率に対応する電圧値とＯＮ，ＯＦＦ時間値を算出し、駆動電圧選択回路１２には、算出された電圧値を設定し、パルス発生器１１には、算出されたＯＮ，ＯＦＦ時間値を設定する。駆動電圧選択回路１２は、設定された電圧値を選択し、電圧切り換え器１３に出力する。パルス発生器１１は、設定されたＯＮ，ＯＦＦ時間値にしたがって、液晶セル２３に印加する電圧の極性と周期を制御する信号ＤＰ，ＤＮを電圧切り換え器１３に送る。電圧切り換え器１３は、制御信号ＤＰ，ＤＮにより駆動電圧選択回路１２の出力電圧ＡＶを正および負の極性について選択して液晶セル２３に印加する。【選択図】図３
2005202271.tif 000002
【特許請求の範囲】
【請求項１】
液晶セルを有する光学デバイスの駆動装置において、
前記液晶セルに電圧を印加する時間と、液晶セルに電圧を印加しない時間にしたがって、前記液晶セルに印加する電圧の極性と周期を制御する信号を出力するパルス発生器と、
前記液晶セルに印加する電圧の電圧値を選択して出力する駆動電圧選択回路と、
前記パルス発生器が出力する制御信号によって、前記駆動電圧選択回路の出力電圧を正および負の極性について選択して前記液晶セルに印加する電圧信号を出力する切り換え器と、を備えて前記液晶セルに印加する電圧信号の電圧値と周期とデューティ比を可変として液晶セルを駆動することを特徴とする光学デバイスの駆動装置。
【請求項２】
前記パルス発生器は、前記液晶セルに電圧を印加する時間を設定するための第１のレジスタと、前記液晶セルに電圧を印加しない時間を設定するための第２のレジスタからなるレジスタ対を少なくとも２つ備え、いずれか選択された前記レジスタ対に設定された時間にしたがって、前記液晶セルに印加する電圧の極性と周期を制御する信号を出力することを特徴とする請求項１に記載の光学デバイスの駆動装置。
【請求項３】
液晶セルを有する光学デバイスの駆動装置において、
前記液晶セルの温度を取得する温度測定回路と、
前記温度測定回路が取得した温度と前記液晶セルの屈折率に対応する、前記液晶セルに電圧を印加する時間および液晶セルに電圧を印加しない時間にしたがって、前記液晶セルに印加する電圧の極性と周期を制御する信号を出力するパルス発生器と、
前記温度測定回路が取得した温度と前記液晶セルの屈折率に対応する、前記液晶セルに印加する電圧の電圧値を選択して出力する駆動電圧選択回路と、
前記パルス発生器が出力する制御信号によって、前記駆動電圧選択回路の出力電圧を正および負の極性について選択して前記液晶セルに印加する電圧信号を出力する切り換え器と、を備えて前記液晶セルに印加する電圧信号の電圧値と周期とデューティ比を可変として液晶セルを駆動することを特徴とする光学デバイスの駆動装置。
【請求項４】
前記温度測定回路が取得した温度と前記液晶セルの屈折率に対応する、前記液晶セルに電圧を印加する時間、液晶セルに電圧を印加しない時間および液晶セルに印加する電圧の電圧値は、前記液晶セルの各温度毎および屈折率毎に、前記液晶セルに電圧を印加する時間、液晶セルに電圧を印加しない時間および液晶セルに印加する電圧の電圧値が格納されている参照テーブルより算出されることを特徴とする請求項３に記載の光学デバイスの駆動装置。
【請求項５】
前記パルス発生器は、前記液晶セルに電圧を印加する時間を設定するための第１のレジスタと、前記液晶セルに電圧を印加しない時間を設定するための第２のレジスタからなるレジスタ対を２つ備え、２つのうちの使用されていない方のレジスタ対の第１のレジスタに前記参照テーブルより算出された前記液晶セルに電圧を印加する時間を設定し、使用されていない方のレジスタ対の第２のレジスタに液晶セルに電圧を印加しない時間を設定し、新しく時間が設定されたレジスタ対を選択し、選択された前記レジスタ対に設定された時間にしたがって、前記液晶セルに印加する電圧の極性と周期を制御する信号を出力することを特徴とする請求項４に記載の光学デバイスの駆動装置。
【請求項６】
前記温度測定回路は、前記液晶セルの温度を検出するサーミスタと、前記サーミスタが検出した液晶セルの温度をデジタル化して出力する温度取得回路とを備えることを特徴とする請求項３〜５のいずれかに記載の光学デバイスの駆動装置。
【請求項７】
前記光学デバイスは、光導波路型液晶可変光減衰器であることを特徴とする請求項１〜６のいずれかに記載の駆動装置。
【発明の詳細な説明】
【技術分野】
【０００１】
本発明は、液晶の屈折率を変化させることを利用した光学デバイスの駆動装置に関する。
【背景技術】
【０００２】
光通信分野において、光増幅後の光強度の調整や複数の光路における光信号強度の一様化などのため、可変光減衰器が必要とされる。電気信号を用いて光出力を調整する可変光減衰器としては、ファラデー効果（磁気光学効果）を利用したもの、微小電気機械システム（ＭＥＭＳ）を利用したもの、液晶の光の透過率変化を利用したもの（例えば、特許文献１）などがある。
【０００３】
また、波長多重を利用した光伝送システムでは、光導波路に屈折率を変化させる手段を設けたものが、可変光減衰器として使用されている。光導波路に屈折率を変化させる手段を設けたものは、可動部がないため信頼性が高く、アレイ化が可能であるなどの利点がある。屈折率変化手段としては電気光学効果、熱光学効果など種々の効果を利用したものが知られているが、液晶を利用したものは低消費電力であり、偏光依存性の小さいものが作製可能であるなどの特徴を有している。
【０００４】
また、このような液晶による可変光減衰器の駆動装置としては、メドーラーク  オプティックス社（Ｍｅａｄｏｗｌａｒｋ  Ｏｐｔｉｃｓ  Ｉｎｃ．）製の液晶制御器（モデルＢ１０２０）がある（非特許文献１参照）。
【特許文献１】特開２００１−１３４７７号公報
【非特許文献１】ＬＩＱＵＩＤ  ＣＲＹＳＴＡＬ  ＷＡＶＥＰＬＡＴＥＳ（Ｍｅａｄｏｗｌａｒｋ  Ｏｐｔｉｃｓ  Ｉｎｃ．）、［オンライン］、［平成１５年１２月３日検索］、インターネット＜ｈｔｔｐ：／／ｍｅａｄｏｗｌａｒｋ．ｃｏｍ／ｃａｔａｌｏｇ／ＬｉｑｕｉｄＣｒｙｓｔａｌｓ／ｌｉｑｃｒｙｓ４．ｈｔｍ＞
【発明の開示】
【発明が解決しようとする課題】
【０００５】
上記のような従来の液晶を用いた可変光減衰器の駆動装置に使われている回路は、液晶セルに印加する電圧のみを制御して、液晶セルの屈折率を変化させている。しかし、上記特許文献１にも説明されているとおり、液晶セルの光の透過率は、印加電圧に対して急峻に変化するため、電圧値のみによる精密な屈折率制御には限界がある。また、液晶セルの屈折率は温度によって変化するが、これらの駆動装置では温度による屈折率の変化を補償できない。
【０００６】
本発明の目的は、液晶セルの屈折率を変化させることを利用した光学デバイスにおいて、簡単な回路で液晶セルの屈折率を高精度で制御できる駆動装置を提供すること、また光学デバイスの動作温度範囲を広げる省電力温度補償機能を備えた駆動装置を提供することにある。
【課題を解決するための手段】
【０００７】
本発明は、液晶セルを有する光学デバイスの駆動装置において、液晶セルの温度を取得する温度測定回路と、温度測定回路が取得した温度と液晶セルの屈折率に対応する、液晶セルに電圧を印加する時間および液晶セルに電圧を印加しない時間にしたがって、液晶セルに印加する電圧の極性と周期を制御する信号を出力するパルス発生器と、温度測定回路が取得した温度と液晶セルの屈折率に対応する、液晶セルに印加する電圧の電圧値を選択して出力する駆動電圧選択回路と、パルス発生器が出力する制御信号によって、駆動電圧選択回路の出力電圧を正および負の極性について選択して液晶セルに印加する電圧信号を出力する切り換え器とを備えて液晶セルに印加する電圧信号の電圧値と周期とデューティ比を可変として液晶セルを駆動することを特徴とする。
【０００８】
温度測定回路が取得した温度と液晶セルの屈折率に対応する、液晶セルに電圧を印加する時間、液晶セルに電圧を印加しない時間および液晶セルに印加する電圧の電圧値は、液晶セルの各温度毎および屈折率毎に、液晶セルに電圧を印加する時間、液晶セルに電圧を印加しない時間および液晶セルに印加する電圧の電圧値が格納されている参照テーブルより算出される。
【０００９】
パルス発生器は、液晶セルに電圧を印加する時間を設定するための第１のレジスタと、液晶セルに電圧を印加しない時間を設定するための第２のレジスタからなるレジスタ対を２つ備え、２つのうちの使用されていない方のレジスタ対の第１のレジスタに参照テーブルより算出された液晶セルに電圧を印加する時間を設定し、使用されていない方のレジスタ対の第２のレジスタに液晶セルに電圧を印加しない時間を設定し、新しく時間が設定されたレジスタ対を選択し、選択されたレジスタ対に設定された時間にしたがって、液晶セルに印加する電圧の極性と周期を制御する信号を出力する。
【発明の効果】
【００１０】
本発明は、液晶セルへ印加する電圧の電圧値だけでなく、印加電圧信号の周期およびデューティ比も変化させて制御するため、液晶セルの屈折率の高精度制御が可能である。また、温度補償機能を付与したため、液晶光学デバイスの動作温度範囲を広くすることが可能である。さらに、小型化が可能で、複雑な回路が不要なため、低価格化が可能である。
【発明を実施するための最良の形態】
【００１１】
本発明の駆動装置を適用する光学デバイスの一例としての光導波路型の液晶可変光減衰器を図１および図２に示す。以下、この液晶可変光減衰器の機能について説明する。
【００１２】
図１は、光導波路型液晶可変光減衰器の構造を説明する断面図であり、図２は、平面図である。図１は、図２のＡ−Ａ’線に沿う断面図である。主コア１と、液晶を充填した副コア４とが近接して設けられている。副コア４は、配向膜７Ａ，７Ｂに接しており、電界ゼロの状態では液晶分子は光導波路と平行に配向している。この副コア４の主コア１とは反対側に少なくとも１対の電極（図では、電極６Ａ，６Ｂ，６Ｃ）を設け、電界を制御することにより液晶分子の配向を制御する。図１において、３Ａは第１クラッド、３Ｂは第２クラッド、８Ａは第１基板、８Ｂは第２基板、９は接着剤を示している。
【００１３】
図２（Ａ）は、電極をＯＦＦ状態にしたときの光信号の流れ５を示しており、この状態では、主コア１に入力した光信号は、主コア１を伝搬する。図２（Ｂ）は、電極をＯＮ状態にしたときの光信号の流れ５を示しており、この状態では、光信号は、主コア１から副コア４へ一部が乗り移り、主コア１からの信号出力が減少する。
【００１４】
図１および図２の例では、中央電極６Ｂに対し、電極６Ａおよび電極６Ｃの電圧と位相を調整することにより、主コア１から副コア４への光エネルギーの乗り移り量を調整することが可能になる。これにより主コア１の出力側での光強度を変化させることができる。すなわち、図１および図２の構成は光導波路型の可変光減衰器として機能する。
【００１５】
上述のような液晶可変光減衰器に適用する本発明における駆動装置の基本構成を図３に示す。この駆動装置は、液晶駆動回路部１０と温度測定回路部２０とにより構成される。マイクロプロセッサ（ＣＰＵ）３０は、液晶セルに印加する電圧信号の電圧値およびデューティ比を変更するための制御素子である。ＣＰＵ３０は、温度測定回路部２０から液晶セルの温度に関する情報を得るとともに、液晶セルの屈折率を一定に保つために最適な、液晶セルに印加する電圧信号の電圧値とデューティ比を、屈折率の電圧およびデューティ比依存性を示す屈折率テーブル（ルック・アップ・テーブル）または計算式を用いて算出する。この結果に基づき、ＣＰＵ３０は、最適な電圧値とデューティ比を液晶駆動回路部１０に設定する。
【００１６】
図４に屈折率テーブルの一例を示す。屈折率テーブルは各温度毎のテーブルからなり、各テーブルには屈折率毎に、液晶セルに印加する最適な電圧値とＯＮ，ＯＦＦ時間値が格納されている。
【００１７】
以下に、液晶駆動回路部１０および温度測定回路部２０について説明する。
【００１８】
液晶駆動回路部１０は、パルス発生器１１、駆動電圧選択回路１２および電圧切り換え器１３を備える。パルス発生器１１は、ＣＰＵ３０からの指令に基づき、液晶セル２３に印加する電圧の極性と周期を制御する信号ＤＰ，ＤＮを電圧切り換え器１３に送る。駆動電圧選択回路１２は、ＣＰＵ３０からの指令に基づき、液晶セル２３に印加する電圧を選択し、電圧切り換え器１３に出力する。電圧切り換え器１３は、パルス発生器１１が出力する制御信号ＤＰ，ＤＮによって、駆動電圧選択回路１２の出力電圧ＡＶを正および負の極性について選択して液晶セル２３に印加する。
【００１９】
図５は、パルス発生器の構成を示す。パルス発生器１１は、Ｉ／Ｆ回路１１１、ＯＮ１レジスタ１１２、ＯＦＦ１レジスタ１１３、ＯＮ２レジスタ１１４、ＯＦＦ２レジスタ１１５、選択レジスタ１１６およびパルス生成回路１１７を備える。
【００２０】
Ｉ／Ｆ回路１１１は、ＣＰＵ３０からの指令により、設定値を回路内部に取り込んだり、回路内の設定を取り出す回路である。
【００２１】
ＯＮ１レジスタ１１２およびＯＮ２レジスタ１１４は、液晶セルに電圧を印加する時間を設定するためのレジスタであり、図４に示す屈折率テーブルから取得されたＯＮ時間値が設定される。ＯＦＦ１レジスタ１１３およびＯＦＦ２レジスタ１１５は、液晶セルに電圧を印加しない時間を設定するためのレジスタであり、屈折率テーブルから算出されたのＯＦＦ時間値が設定される。ＯＮ１レジスタ１１２とＯＦＦ１レジスタ１１３からなるレジスタ対、またはＯＮ２レジスタ１１４とＯＦＦ２レジスタ１１５からなるレジスタ対により液晶セルに印加する電圧の周期およびデューティ比が決定される。なお、レジスタ対は２つに限らず、３つ以上備えられていてもよい。
【００２２】
選択レジスタ１１６は、Ｉ／Ｆ回路１１１を介してＣＰＵ３０からの指令により、液晶セルを駆動する電圧信号の周期とデューティ比をＯＮ１レジスタ１１２とＯＦＦ１レジスタ１１３からなるレジスタ対の設定値で決定するか、ＯＮ２レジスタ１１４とＯＦＦ２レジスタ１１５からなるレジスタ対の設定値で決定するかを選択する。
【００２３】
パルス生成回路１１７は、選択レジスタ１１６により選択されたレジスタ対にしたがって、液晶セルに印加する電圧の極性と周期を制御する信号である制御信号ＤＰと制御信号ＤＮを出力する。
【００２４】
図５において、アドレス・バスは、パルス発生器内部のレジスタを選択するために使用される信号線であり、データ・バスは、設定値の書き込み、読み出し用の信号線である。また、ＣＳｂは、パルス発生器を選択するための信号であり、ＲＤｂは、ＣＰＵがデータを読み出すことを示すストローブ信号であり、ＷＲｂは、ＣＰＵがデータを書き込むことを示すストローブ信号である。
【００２５】
ＣＬＫは、駆動周期およびデューティ比を生成するために使用され、ＣＬＫの１周期分が時間の最小単位となる。また、リセットは、パルス発生器を初期化するための信号であり、Ｖｄｄは、電源電位、ＧＮＤは接地電位である。
【００２６】
図６に、パルス生成回路から出力される制御信号の制御波形の例を示す。図６の上側が制御信号ＤＰの波形の例であり、下側が制御信号ＤＰの波形の例である。ここでは、時間｛ｔ0 −２×（ｔON1 ＋ｔOFF1）｝と時間ｔ0 との間に、ＣＰＵ３０からＯＮ１レジスタ１１２とＯＦＦ１レジスタ１１３からなるレジスタ対に設定されている値からＯＮ２レジスタ１１４とＯＦＦ２レジスタ１１５からなるレジスタ対に設定されている値に変更して、周期およびデューティ比を変更するように指令があった場合の波形を示している。ただし、各設定値は、次のようになっているとする。
【００２７】
ＯＮ１レジスタの設定値＝ｔON1 
ＯＦＦ１レジスタの設定値＝ｔOFF1
ＯＮ２レジスタの設定値＝ｔON2 
ＯＦＦ２レジスタの設定値＝ｔOFF2
制御信号ＤＮにおいて液晶セルを駆動しない時間ｔOFF1が経過した時点で、駆動周期およびデューティ比が変更されている。これは液晶セルの劣化を防ぐのが目的である。
【００２８】
本発明の駆動装置は、液晶セルへ印加する電圧の電圧値だけでなく、印加電圧信号の周期およびデューティ比をも変化させて制御することができるため、液晶セルの屈折率を高精度に制御することが可能である。
【００２９】
図７は、デジタル・ポテンショ・メータと演算増幅器を使用した駆動電圧選択回路の回路例を示す。デジタル・ポテンショ・メータ１２１は、Ｒ（Ω）の抵抗を直列にｎ個接続したｎ個の抵抗１２４と、ｎ個の抵抗１２４の各抵抗間の接続点に接続された切り換え手段１２５と、切り換え手段１２５を制御する選択レジスタ１２３を備える。ＤＣＳｂは、デジタル・ポテンショ・メータを選択するための信号線であり、ＤＣＫは、ＤＤＩおよびＤＤＯとの同期を取るための信号である。
【００３０】
ＶｄｄとＧＮＤ間の電圧は、ｎ個の抵抗１２４で（ｎ−１）分割されている。選択レジスタ１２３は、ＣＰＵ３０からの指令により、（ｎ−１）分割された電圧の何番目の電圧を出力するかを決定し、切り換え手段１２５を制御する。演算増幅器１２２は、切り換え手段１２５からの出力ＯをＫ倍にして、ＡＶを出力する。
【００３１】
これらのことから、液晶セルに印加する電圧は、次のようになる。
【００３２】
ＡＶ＝Ｋ×Ｏ
ＡＶｍａｘ＝Ｋ×Ｏｍａｘ
Ｏｍａｘ＝Ｖｄｄ×（ｎ−１）／ｎ
ＡＶｍａｘ＝Ｋ×Ｖｄｄ×（ｎ−１）／ｎ
ここで、ＡＶｍａｘは、液晶セルを駆動する最大の電圧である。また、この場合の電圧のステップ（分解能）は、Ｋ×Ｖｄｄ×（１／ｎ）（Ｖ）である。
【００３３】
図８は、２個のアナログ・スイッチを使用した電圧切り換え器の回路例を示す。アナログ・スイッチ１３１Ａは、パルス発生器１１からの制御信号ＤＰにより、出力電圧ＡＶｐを、駆動電圧選択回路１２から出力される電圧ＡＶか、またはＧＮＤかのいずれかに切り換える。同様に、アナログ・スイッチ１３１Ｂは、パルス発生器１１からの制御信号ＤＮにより、出力電圧ＡＶｎを、駆動電圧選択回路１２から出力される電圧ＡＶか、またはＧＮＤかのいずれかに切り換える。
【００３４】
図９は、ＣＰＵから周期およびデューティ比を変更するように指令があった場合の液晶セルに印加される電圧（ＡＶｐ−ＡＶｎ）の波形を示す。液晶セルに印加される電圧信号が、変更指令の前後で、周期Ｔ1 から周期Ｔ2 に変化している状態を示している。
【００３５】
次に、温度測定回路部について説明する。図１０は、温度測定回路部の回路例を示す。温度測定回路部は、液晶セル２３の温度を検出するサーミスタ２２および温度取得回路２１を備える。温度取得回路２１は、サーミスタ２２が検出した液晶セルの温度をデジタル化してＣＰＵ３０に送る。
【００３６】
温度取得回路２１は、図１０に示すように、定電流電源回路２１１およびＡ／Ｄコンバータ２１２を備える。定電流電源回路２１１からサーミスタ２２に一定電流を流し、サーミスタ２２の両端の電圧を測定することによりサーミスタ２２の抵抗が算出できる。この抵抗値からサーミスタ２２の温度、すなわち、液晶セルの温度を取得することができる。Ａ／Ｄコンバータ２１２は、この抵抗値のアナログデータをデジタル化する。Ａ／Ｄコンバータ２１２の出力ビット数ｎは、制御する温度の分解能によって決定される。
【００３７】
次に、ＣＰＵの動作について図１１と図３を用いて説明する。図１１は、液晶セルの温度が変化したときのＣＰＵの動作を説明するフローチャートである。ここでは、液晶セルは、ある一定の屈折率に設定されているものとする。
【００３８】
まず、ＣＰＵ３０は、サーミスタ２２で検出された液晶セル２３の温度を温度取得回路２１から取得する（ステップ３１０）。次に、ＣＰＵ３０は、温度記録部（図示せず）から前回取得した液晶セルの温度を読み出し、前回取得した液晶セルの温度と今回取得した液晶セルの温度を比較する（ステップ３２０）。前回取得した液晶セルの温度と今回取得した液晶セルの温度とが異なっていれば、今回取得した液晶セルの温度を温度記憶部に書き込んだ後、今回取得した温度と、設定されている屈折率とで、図４に示す屈折率テーブルから、その温度と屈折率に対応する最適な電圧値とＯＮ，ＯＦＦ時間値を算出する（ステップ３３０）。
【００３９】
次に、ＣＰＵ３０は、駆動電圧選択回路１２に指令を出し、液晶セル２３に印加する電圧を、屈折率テーブルから算出された電圧値となるように設定する（ステップ３４０）。次に、ＣＰＵ３０は、パルス発生器１１に指令を出し、ＯＮ１レジスタ１１２とＯＦＦ１レジスタ１１３からなるレジスタ対、およびＯＮ２レジスタ１１４とＯＦＦ２レジスタ１１５からなるレジスタ対のうちの現在使われていない方のレジスタ対に、屈折率テーブルから算出されたＯＮ，ＯＦＦ時間値を設定する（ステップ３５０）。次に、新しくＯＮ，ＯＦＦ時間値が設定されたレジスタ対を選択するようにパルス発生器１１に指令を出す（ステップ３６０）。以後、液晶駆動回路部１０は、最適な電圧値とデューティ比で液晶セルを駆動する。
【００４０】
上述のように、本発明の駆動装置は、液晶セルの温度を監視し、温度変化に応じて液晶セルに印加する電圧信号の電圧値およびデューティ比を変化させ、液晶セルの屈折率を一定に保つように制御することができるので、光学デバイスの動作温度範囲を広くすることができる。また、本発明の駆動装置は、小型化が可能で、複雑な回路が不要なため、低価格化が可能である。
【図面の簡単な説明】
【００４１】
【図１】光導波路型液晶可変光減衰器の構造を説明する断面図である。
【図２】光導波路型液晶可変光減衰器の構造を説明する平面図である。
【図３】液晶可変光減衰器に適用する本発明の駆動装置の構成図である。
【図４】屈折率テーブルの一例を示す図である。
【図５】パルス発生器の構成を示す図である。
【図６】パルス生成回路による制御波形の例を示す図である。
【図７】駆動電圧選択回路の回路例を示す図である。
【図８】電圧切り換え器の回路例を示す図である。
【図９】液晶セルに印加される電圧（ＡＶｐ−ＡＶｎ）の波形を示す図である。
【図１０】温度測定回路部の回路例を示す図である。
【図１１】液晶セルの温度が変化したときのＣＰＵの動作を説明する図である。
【符号の説明】
【００４２】
１  主コア
３，３Ａ，３Ｂ  クラッド
４  副コア
５  光信号の流れ
６Ａ，６Ｂ，６Ｃ  電極
７Ａ，７Ｂ  配向膜
８Ａ，８Ｂ  基板
９  接着剤
１０  液晶駆動回路部
１１  パルス発生器
１２  駆動電圧選択回路
１３  電圧切り換え器
２０  温度測定回路部
２１  温度取得回路
２２  サーミスタ
２３  液晶セル
３０  ＣＰＵ
１１１  Ｉ／Ｆ回路
１１２  ＯＮ１レジスタ
１１３  ＯＦＦ１レジスタ
１１４  ＯＮ２レジスタ
１１５  ＯＦＦ２レジスタ
１１６，１２３  選択レジスタ
１１７  パルス生成回路
１２１  デジタル・ポテンショ・メータ
１２２  演算増幅器
１２４  ｎ個の抵抗
１２５  切り換え手段
１３１Ａ，１３１Ｂ  アナログ・スイッチ
２１１  定電流電源回路
２１２  Ａ／Ｄコンバータ
【図１】
2005202271.tif 000003
【図２】
2005202271.tif 000004
【図３】
2005202271.tif 000005
【図４】
2005202271.tif 000006
【図５】
2005202271.tif 000007
【図６】
2005202271.tif 000008
【図７】
2005202271.tif 000009
【図８】
2005202271.tif 000010
【図９】
2005202271.tif 000011
【図１０】
2005202271.tif 000012
【図１１】
2005202271.tif 000013